(57)【要約】【課題】  低気温環境により帯状連続袋体に収縮が生じたり、運送時に振動が加わったりした場合でも巻込紙片が所定の位置からズレ動くのを防止し、ズレ動きによる不具合を防止できるようにしたロール状自治体指定ごみ袋の簡易包装構造の提供。【解決手段】  巻取り端末部１ａを本体ロール部１ｂに巻き止めるための巻込紙片２を備え、この巻込紙片は、巻取り端末部と本体ロール部の間に挟み込まれる挟持部２ａと、本体ロール部に少なくとも１周以上巻き付けられる巻付部２ｂとを備え、巻付部の端部内面と巻付部の外面とが接着された紙同士接着部３と、巻込紙片と帯状連続袋体とが剥離可能な低接着剤で接着された仮接着部４ａが形成されている。【選択図】  図２
2013216362.tif 000002
【特許請求の範囲】
【請求項１】
多数枚の袋体（１０）が切込破線（１１）により連結されることで一連に連続した帯状連続袋体（１）がロール状に巻き取られているロール状自治体指定ごみ袋（Ａ）の簡易包装構造であって、
ロール状自治体指定ごみ袋（Ａ）の巻取り端末部（１ａ）を本体ロール部（１ｂ）に巻き止めるための巻込紙片（２）を備え、
前記巻込紙片（２）は、巻取り端末部（１ａ）と本体ロール部（１ｂ）の間に挟み込まれる挟持部（２ａ）と、この挟持部（２ａ）から延出して本体ロール部（１ｂ）に少なくとも１周以上巻き付けられる巻付部（２ｂ）とを備え、
前記巻付部（２ｂ）の端部内面と巻付部（２ｂ）の外面とが接着された紙同士接着部（３）と、前記巻込紙片（２）と帯状連続袋体（１）とが剥離可能な低接着剤で接着された仮接着部（４）が形成されていることを特徴とするロール状自治体指定ごみ袋の簡易包装構造。
【請求項２】
請求項１記載のロール状自治体指定ごみ袋において、
前記仮接着部（４）を、巻込紙片（２）の挟持部（２）の内面と帯状連続袋体（１）の本体ロール部（１ｂ）の外面とを剥離可能な低接着剤で接着させて形成していることを特徴とするロール状自治体指定ごみ袋の簡易包装構造。
【請求項３】
請求項１記載のロール状自治体指定ごみ袋において、
前記仮接着部（４）を、巻込紙片（２）の挟持部（２）の外面と帯状連続袋体（１）の巻取り端末部（１ａ）の内面とを剥離可能な低接着剤で接着させて形成していることを特徴とするロール状自治体指定ごみ袋の簡易包装構造。
【請求項４】
請求項１記載のロール状自治体指定ごみ袋において、
前記仮接着部（４）を、帯状連続袋体（１）の巻取り端末部（１ａ）の外面と巻込紙片（２）の巻付部（２ｂ）の内面とを剥離可能な低接着剤で接着させて形成していることを特徴とするロール状自治体指定ごみ袋の簡易包装構造。
【発明の詳細な説明】
【技術分野】
【０００１】
本発明は、多数枚の袋体を一連に連続させた帯状連続袋体をロール状に巻き取ったロール状自治体指定ごみ袋の簡易包装構造に関する。
【背景技術】
【０００２】
ロール状自治体指定ごみ袋は、多数枚の袋体を一連に連続させた帯状連続袋体をロール状に巻き取ったもので、その簡易包装構造として、従来、巻取り端末部を巻込紙片によって本体ロール部に巻き止めるようにしたものが知られている（特許文献１参照）。
【０００３】
図５に示すように、巻込紙片２は巻取り端末部１ａと本体ロール部１ｂの間に挟み込まれる挟持部２ａと、この挟持部２ａから延出して本体ロール部１ｂに少なくとも１周以上巻き付けられる巻付部２ｂとを備え、そして、巻付部２ｂの巻端部内面を巻付部２ｂの外面に接着させた紙同士接着部３を形成させることで、巻込紙片２によって巻取り端末部１ａを本体ロール部１ｂに巻き止めるようになっている。
【０００４】
このような巻込紙片２を用いた従来のロール状自治体指定ごみ袋の簡易包装構造では、巻付部２ｂの巻端部内面を巻付部２ｂの外面に接着させた紙同士接着部３を形成させることから、帯状連続袋体１に対して巻込紙片２を直接に接着させることがない。
したがって、紙同士接着部３を剥がす際に、その接着力によって帯状連続袋体１が破れたり汚損したりすることがない。
【０００５】
また、挟持部２ａを巻取り端末部１ａと本体ロール部１ｂの間に挟み込ませた上で巻付部２ｂを本体ロール部１ｂに巻き付けるため、巻込紙片２がズレ動いたり抜け落ちたりしにくく、巻込紙片２による巻き止めを安定させることができるという利点がある。
【先行技術文献】
【特許文献】
【０００６】
【特許文献１】特許公開２００７−１０６４５９号公報
【発明の概要】
【発明が解決しようとする課題】
【０００７】
しかしながら、従来の簡易包装構造では、巻込紙片２が帯状連続袋体１に対して接触抵抗だけで巻き止められているため、低気温環境下では帯状連続袋体１の収縮によって巻き状態に弛みが生じ、この結果、巻込紙片２の巻き付け位置が所定位置からズレ動いてしまうことがある。
又、ロール状自治体指定ごみ袋は数十本（例えば５０本）をダンボール箱に詰めて梱包し、これを配送するようにしているが、運送条件によりロール状自治体指定ごみ袋の軸方向に振動が繰り返し加わったり、その他荷扱い上の問題等により、巻込紙片２の巻き付け位置が所定位置からズレ動いてしまうことがある。
【０００８】
即ち、巻込紙片２は、通常は図６（イ）で示すようにロール状自治体指定ごみ袋Ａの軸方向中央部に巻き付けるものであるが、上記のような理由で巻込紙片２の位置が図６（ロ）で示すよう一端側（下端側）に偏ってズレ動いてしまうと、見た目が雑な包装になってしまう。
又、巻込紙片２がズレ動いた反対側（上端側）では、巻取り端末部１ａに捲くれ部９や皺が生じやすくなり、包装不良になることがある。
このように、包装が雑に見られたり包装不良になったりすると、商品管理意識を疑われ、企業イメージの低下にもつながるという問題が生じる。
【０００９】
本発明は、気温低下により帯状連続袋体に収縮が生じたり、運送時に振動が加わったりした場合でも巻込紙片が所定の位置からズレ動くのを防止し、ズレ動きによる不具合を防止できるようにしたロール状自治体指定ごみ袋の簡易包装構造を提供することを課題としている。
【課題を解決するための手段】
【００１０】
上記の課題を解決するため、本発明（請求項１）のロール状自治体指定ごみ袋の簡易包装構造は、
多数枚の袋体（１０）が切込破線（１１）により連結されることで一連に連続した帯状連続袋体（１）がロール状に巻き取られているロール状自治体指定ごみ袋（Ａ）の簡易包装構造であって、
ロール状自治体指定ごみ袋（Ａ）の巻取り端末部（１ａ）を本体ロール部（１ｂ）に巻き止めるための巻込紙片（２）を備え、
前記巻込紙片（２）は、巻取り端末部（１ａ）と本体ロール部（１ｂ）の間に挟み込まれる挟持部（２ａ）と、この挟持部（２ａ）から延出して本体ロール部（１ｂ）に少なくとも１周以上巻き付けられる巻付部（２ｂ）とを備え、
前記巻付部（２ｂ）の端部内面と巻付部（２ｂ）の外面とが接着された紙同士接着部（３）と、前記巻込紙片（２）と帯状連続袋体（１）とが剥離可能な低接着剤で接着された仮接着部（４）が形成されている構成とした。
【００１１】
また、本発明（請求項２）のロール状自治体指定ごみ袋の簡易包装構造は、
請求項１記載のロール状自治体指定ごみ袋において、前記仮接着部（４）を、巻込紙片（２）の挟持部（２ａ）の内面と帯状連続袋体（１）の本体ロール部（１ｂ）の外面とを剥離可能な低接着剤で接着させて形成している構成とした。。
【００１２】
また、本発明（請求項３）のロール状自治体指定ごみ袋の簡易包装構造は、
請求項１記載のロール状自治体指定ごみ袋において、前記仮接着部（４）を、巻込紙片（２）の挟持部（２ａ）の外面と帯状連続袋体（１）の巻取り端末部（１ａ）の内面とを剥離可能な低接着剤で接着させて形成している構成とした。
【００１３】
また、本発明（請求項４）のロール状自治体指定ごみ袋の簡易包装構造は、
請求項１記載のロール状自治体指定ごみ袋において、前記仮接着部（４）を、帯状連続袋体（１）の巻取り端末部（１ａ）の外面と巻込紙片（２）の巻付部（２ｂ）の内面とを剥離可能な低接着剤で接着させて形成している構成とした。
【００１４】
なお、本明細書において仮接着部を総称する場合には符号４を使用し、後述の図面で示した実施例の仮接着部については符号４ａ、４ｂ、４ｃを使用した。
【発明の効果】
【００１５】
本発明のロール状自治体指定ごみ袋の簡易包装構造は、巻込紙片（２）と帯状連続袋体（１）とが剥離可能な低接着剤で接着された仮接着部（４）が形成されている構成に特徴がある。
【００１６】
このように仮接着部を形成したことにより、巻込紙片を帯状連続袋体に対して接触抵抗だけで巻き止めていた従来の簡易包装構造とは異なり、接触抵抗と仮接着部との両方で巻込紙片を帯状連続袋体に対して巻き止めることができる。
これにより、低気温環境下で帯状連続袋体に収縮が生じたり、運送時に振動が加わったりした場合でも巻込紙片が所定の位置からズレ動くのを防止し、ズレ動きによる不具合を防止することができる。
【図面の簡単な説明】
【００１７】
【図１】本発明の実施例に係るロール状自治体指定ごみ袋の簡易包装構造を示すもので、端末部分を展開した状態の斜視図である。
【図２】その簡易包装構造を説明するための模式断面図である。
【図３】簡易包装構造の仮接着部の位置を変えた実施例の模式断面図である。
【図４】簡易包装構造の仮接着部の位置を変えた実施例の模式断面図である。
【図５】従来の簡易包装構造を説明するための模式断面図である。
【図６】従来の簡易包装構造を説明するための斜視図である。
【発明を実施するための形態】
【００１８】
図１、図２は本発明の実施例に係るロール状自治体指定ごみ袋Ａの簡易包装構造を示したもので、図中の符号１は帯状連続袋体である。
この帯状連続袋体１は、多数枚（例えば１０枚）の袋体１０が切込破線１１により一連に連結されて帯状に連続したもので、筒状プラスチックフイルムに、全幅に亘って切込破線１１を一定間隔で形成すると共に、この切込破線１１に近接して袋底溶着部１２を形成したものとなっている。
【００１９】
そして、この帯状連続袋体１をロール状に巻き取ることでロール状自治体指定ごみ袋Ａが形成されるもので、この実施例では、袋体１０の開口側が巻き端になるように巻き取っている。
なお、ロール状自治体指定ごみ袋Ａをコンパクトにするために、帯状連続袋体１の両側部分を内側に折り畳んでロール状に巻き取るようにしている。
【００２０】
前記ロール状自治体指定ごみ袋Ａにおいて、巻取り端末部１ａが巻込紙片２を介して本体ロール部１ｂに巻き止められている。
前記巻込紙片２は、巻取り端末部１ａと本体ロール部１ｂの間に挟み込まれる挟持部２ａ（図１において平行斜線で示す）と、この挟持部２ａから延出して本体ロール部１ｂに少なくとも１周以上巻き付けられる巻付部２ｂとを備えている。
【００２１】
そして、前記巻付部２ｂの巻端部を巻付部２ｂの外面に接着させた紙同士接着部３を形成させ、かつ前記巻込紙片２と帯状連続袋体１とを剥離可能な低接着剤で接着させた仮接着部４ａを形成させることで、前記巻込紙片２を介して帯状連続袋体１の巻取り端末部１ａを本体ロール部１ｂに巻き止めるようにさせている。
【００２２】
本実施例の仮接着部４ａは、巻込紙片２の挟持部２ａの内面と本体ロール部１ｂの外面とを低接着剤で接着させて形成させている。
低接着剤としては易剥離性が必要であり、例えば、ホットメルト接着剤や糊、ゴム系接着剤、オレフィン系接着剤、その他の易剥離性を有する感圧性接着剤等を使用できるし、再接着性については有していてもよいし、有していなくてもよい。
【００２３】
紙同士接着部３は、ここを強制的に剥離させることで巻込紙片２が破損したとしても帯状連続袋体１が破損することはないので、易剥離性を有しない接着剤を使用してもよい。
ただ、この紙同士接着部３に易剥離性を有する低接着剤を使用できるのは勿論であるし、再接着性についても有していてもよいし、有していなくてもよい。
【００２４】
又、前記仮接着部４ａ及び紙同士接着部３における接着剤の塗布箇所は１箇所でもよいし複数箇所でもよく、又、塗布形状もスポット的な点接着にさせたり、線接着にさせたり、面接着にさせるなど、適宜に決定できる。
【００２５】
なお、巻込紙片２を用いた簡易包装作業は、ロール状自治体指定ごみ袋Ａの製造ラインに引き続く簡易包装ラインで行われ、前記紙同士接着部３に用いる接着剤は巻込紙片２に、仮接着部４に用いる接着剤はロール状自治体指定ごみ袋１に対して塗布させるのが通常であるが、これに限らず、巻込紙片２に前記紙同士接着部３及び仮接着部４に用いる接着剤を塗布させてもよい。
【００２６】
このように紙同士接着部３に加えて仮接着部４ａを形成したことにより、巻込紙片２を帯状連続袋体１に対して接触抵抗で巻き止めるだけでなく、巻込紙片２と帯状連続袋体１との接着によっても巻込紙片２を帯状連続袋体１に対して巻き止めることができる。
これにより、巻込紙片２が所定の位置からズレ動くのを防止し、ズレ動きによる不具合を防止することができる。
【００２７】
次に、図３、図４は簡易包装構造の仮接着部４の位置を変えた実施例の模式断面図である。
図３で示す仮接着部４ｂは、巻込紙片２の挟持部２ａの外面と巻取り端末部１ａの内面とを低接着剤で接着させて形成させている。
図４で示す仮接着部４ｃは、巻取り端末部１ａの外面と巻込紙片２の巻付部２ｂの内面とを低接着剤で接着させて形成させている。
このように、仮接着部４は巻込紙片２と帯状連続袋体１との間に形成すればよいもので、図２〜図４で示した場所のうちの１箇所又は複数箇所を組み合わせて形成することができる。
【００２８】
以上、本発明の実施例を図面により説明したが、具体的な構成はこれに限られるものではない。
例えば、両側縁に折込み形成するガゼットの有無や形状、サイズ、それに材質についても、ポリエチレン樹脂やポリプロピレン樹脂等のプラスチックフイルムや紙、不織布等であってもよい。
【符号の説明】
【００２９】
Ａ  ロール状自治体指定ごみ袋
１  帯状連続袋体
１ａ  巻取り端末部
１ｂ  本体ロール部
１０  袋体
１１  切込破線
２  巻込紙片
２ａ  挟持部
２ｂ  巻付部
３  紙同士接着部
４ａ  仮接着部
４ｂ  仮接着部
４ｃ  仮接着部
【図１】
2013216362.tif 000003
【図２】
2013216362.tif 000004
【図３】
2013216362.tif 000005
【図４】
2013216362.tif 000006
【図５】
2013216362.tif 000007
【図６】
2013216362.tif 000008